(57)【要約】【課題】照明器具の光を建物の外部から視認し難くする。【解決手段】建物は、外廊下１４の屋外側に設けられた支柱２２と、支柱２２に取付けられた縦格子３０と、支柱２２の屋内側の側面に取付けられた縦長照明４２と、縦長照明４２の屋内側を開放し両側面を縦方向に沿って覆うカバー４４と、を有する。【選択図】図３
2019009014.tif 000002
【特許請求の範囲】
【請求項１】
外廊下又はバルコニーの屋外側に設けられた支柱と、
前記支柱に取付けられた縦格子と、
前記支柱の屋内側の側面に取付けられた縦長照明と、
前記縦長照明の屋内側を開放し両側面を縦方向に沿って覆うカバーと、
を有する建物。
【請求項２】
前記カバーの屋内側への張出し幅は、前記縦格子の縦桟の間から前記支柱の屋内側の角部を見たときの視線を遮らない幅とされている、請求項１に記載の建物。
【請求項３】
前記縦格子における縦桟の幅をａ、奥行きをｂ、互いに隣接する前記縦桟間の隙間の幅をｃとした場合、ａ＋ｂ≦ｃである、請求項１に記載の建物。
【請求項４】
前記縦格子は手摺子であり、前記手摺子の上部に笠木が固定されている、請求項１〜３の何れか１項に記載の建物。
【発明の詳細な説明】
【技術分野】
【０００１】
本発明は、建物に関する。
【背景技術】
【０００２】
下記特許文献１には、建物の共用廊下を照らす照明器具が天井に取り付けられた照明システムが示されている。この照明システムにおいては、照明器具の屋外側に遮光板を取り付け、照明器具から共用廊下の外側領域へ向かう直射光を遮っている。
【先行技術文献】
【特許文献】
【０００３】
【特許文献１】特開２０１２−６９３５７号公報（図１４）
【発明の概要】
【発明が解決しようとする課題】
【０００４】
しかし、上記特許文献１の照明システムでは、照明器具の側面側から共用廊下の外側領域へ向かう直射光を遮ることは難しく、建物の外部から照明器具の光が見える。
【０００５】
本発明は上記事実を考慮して、照明器具の直射光を建物の外部から視認し難くすることを目的とする。
【課題を解決するための手段】
【０００６】
請求項１の建物は、外廊下又はバルコニーの屋外側に設けられた支柱と、前記支柱に取付けられた縦格子と、前記支柱の屋内側の側面に取付けられた縦長照明と、前記縦長照明の屋内側を開放し両側面を縦方向に沿って覆うカバーと、を有する。
【０００７】
請求項１の建物によると、支柱の屋内側の側面に取付けられた縦長照明は、屋内側を除いて支柱とカバーで覆われている。このため、日中の縦長照明の存在感を消すことができる。
【０００８】
また、夜間は建物の外部から縦長照明の直射光が見えず、縦長の光が外廊下又はバルコニーを照らす間接光によって、影を帯びた縦格子がすっきりと洗練された雰囲気をかもしだす。さらに外廊下又はバルコニーを歩く歩行者には、側方から縦長照明の直射光が見えないため、眩しさを感じにくい。
【０００９】
請求項２の建物は、前記カバーの屋内側への張出し幅は、前記縦格子の縦桟の間から前記支柱の屋内側の角部を見たときの視線を遮らない幅とされている。
【００１０】
請求項２の建物によると、建物の外部から縦桟の間を通して外廊下又はバルコニーを見たとき、視線がカバーによって遮られない。このためカバーの張出し幅が最小幅となり、カバーを目立たなくすることができる。
【００１１】
請求項３の建物は、前記縦格子における縦桟の幅をａ、奥行きをｂ、互いに隣接する前記縦桟間の隙間の幅をｃとした場合、ａ＋ｂ≦ｃである。
【００１２】
請求項３の建物によると、縦桟の幅ａと奥行きｂの合計に対して、縦桟間の隙間の幅ｃが大きい。このため外廊下又はバルコニーの開放性を高めることができる。すなわち、縦桟で縦長照明及びカバーを目立たなくして建物の外観をシンプルにしつつ、外廊下又はバルコニーへ自然採光を取り入れることができる。
【００１３】
請求項４の建物は、前記縦格子は手摺子であり、前記手摺子の上部に笠木が固定されている。
【００１４】
請求項４の建物によると、縦格子が手摺子であるため、手摺子の上部に固定された笠木の上方が開放されている。このため、外廊下又はバルコニーの開放性を高めることができる。また、支柱には縦長照明が取り付けられているため、天井照明をつける必要がない。これにより、建物の外観をシンプルにできる。
【発明の効果】
【００１５】
本発明に係る建物によると、照明器具の光を建物の外部から視認し難くすることができる。
【図面の簡単な説明】
【００１６】
【図１】本発明の第１実施形態に係る建物を示す平面図である。
【図２】本発明の第１実施形態に係る建物の外廊下に設けた手摺を示す立断面図である。
【図３】図２における３−３線断面図である。
【図４】本発明の第１実施形態に係る照明器具の構成を示す分解図である。
【図５】本発明の第１実施形態に係る建物の外部から照明器具を見た際の視線を示す平面図である。
【図６】本発明の第２実施形態に係る建物の外部から照明器具を見た際の視線を示す平面図である。
【図７】本発明の第１実施形態に係る縦桟の奥行きを変えた例を示す平面図である。
【図８】本発明の第１実施形態に係る建物の手摺において、振れ止めに代えて笠木を設置した変形例を示す立断面図である。
【発明を実施するための形態】
【００１７】
［第１実施形態］
（建物）
本発明の第１実施形態に係る建物１０は、図１に示すように、並列配置された複数の住戸１２の玄関先に共用の外廊下１４を備えた集合住宅であり、外廊下１４の屋外側に手摺２０が設けられている。なお、「屋外側」とは、図１等において矢印ＯＵＴで示した方向であり、「屋内側」とは、矢印ＩＮで示した方向である。
【００１８】
（手摺）
手摺２０は、図２に示すように、外廊下１４におけるスラブ１４Ｓの先端（屋外側の端部）に下端部が埋め込まれた支柱２２と、支柱２２の屋外側の面の上端部寄り及び下端部寄りの部分に溶接されたアングル状の固定部材２４と、固定部材２４に接合された連結部材２６と、連結部材２６の屋外側の面に接合された手摺子としての縦格子３０と、縦格子３０を形成する縦桟３２の上端部を屋内側から連結する振れ止め材２７と、を備えている。
【００１９】
図３に示すように、連結部材２６は、隣り合う支柱２２にそれぞれ溶接された固定部材２４間に架け渡され、固定部材２４にボルト固定されている。この連結部材２６に、複数の縦桟３２から成る縦格子３０が接合されている。
【００２０】
縦格子３０においては、縦桟３２の幅ａと奥行きｂとの和は、互いに隣接する縦桟３２間の隙間の幅ｃ以下（ａ＋ｂ≦ｃ）とされている。
【００２１】
（照明器具）
支柱２２には、照明器具４０が固定されている。照明器具４０は、支柱２２に沿う縦長形状（図２参照）の縦長照明４２と、縦長照明４２が格納され、支柱２２に固定されたカバー４４と、を備えている。
【００２２】
図４に示すように、縦長照明４２は、ＬＥＤ素子４２Ｅが縦方向（図４における紙面前後方向）に複数配列された基盤４２Ｂを、透明又は乳白色の樹脂カバー４２Ｃで被覆して構成され、ゴム製のスペーサー４６を介してカバー４４に格納されている。
【００２３】
カバー４４は、曲げ加工により断面（図３に示された断面）形状が「コの字」型（チャンネル状）に成形されたアルミ板を、支柱２２と同色に塗装して形成されている。カバー４４の底板４４Ｂは支柱２２に固定されている。また、底板４４Ｂの両端からそれぞれ屋内方向へ突出した側板４４Ｆは、縦長照明４２がカバー４４に格納された状態で、縦長照明４２の両側面を覆うように長さｌが定められている。なお、縦長照明４２の屋内側の面は開放されている。
【００２４】
本発明における「支柱の屋内側の側面に取付けられた縦長照明」とは、縦長照明４２のようにカバー４４に格納された状態で支柱２２の屋内側の側面に取付けられたもののほか、支柱２２に直接取付けられたものを含む。この場合、カバー４４に代えて、縦長照明４２の両側面を覆う２枚の平板等をカバーとして用いることができる。
【００２５】
（作用・効果）
図５には、建物１０の外部から縦桟３２（３２ａ〜３２ｇ…）の間を通して照明器具４０を視認しようとした際の視線Ｔ（Ｔ１〜Ｔ７…）が示されている。
【００２６】
支柱２２に近い位置（縦桟３２ａと縦桟３２ａの間、縦桟３２ａと縦桟３２ｂの間）から照明器具４０を視認しようとした場合、視線Ｔ１、Ｔ２は支柱２２によって遮られ、照明器具４０を視認できない。
【００２７】
視線Ｔ２においては、縦桟３２ａと縦桟３２ｂの間から、支柱２２の屋内側の角部（点Ｐ）が見える。しかし、カバー４４の屋内側への張出し幅（長さｌ）は、視線Ｔ２を遮らない長さに設定されているため、カバー４４を視認できない。
【００２８】
支柱２２から遠い位置（縦桟３２ｅと縦桟３２ｆの間、縦桟３２ｆと縦桟３２ｇの間）から照明器具４０を視認しようとした場合、視線Ｔ６、Ｔ７は縦桟３２ｅ、３２ｆによって遮られ、照明器具４０を視認できない。
【００２９】
なお、縦桟３２ｇよりさらに遠い位置にある縦桟（不図示）の間からも、同様に照明器具４０を視認できない。
【００３０】
これに対して、縦桟３２ｂと縦桟３２ｃの間、縦桟３２ｃと縦桟３２ｄの間、縦桟３２ｄと縦桟３２ｅの間の視線Ｔ３、Ｔ４、Ｔ５は、支柱２２又は縦桟３２の何れによっても遮られないため、照明器具４０を視認できる。
【００３１】
しかし照明器具４０においては、縦長照明４２の側面がカバー４４に覆われている。このため縦長照明４２は建物１０の外部から見えない。これにより日中の縦長照明４２の存在感を消すことができる。
【００３２】
また、夜間は建物の外部から縦長照明４２の直射光が見えず、縦長の光が外廊下１４を照らす間接光によって、影を帯びた縦格子がすっきりと洗練された雰囲気をかもしだす。さらに外廊下１４を歩く歩行者には、側方から縦長照明４２の直射光が見えないため、眩しさを感じにくい。
【００３３】
また、図３に示すように、縦格子３０においては、縦桟３２間の隙間の幅ｃが、縦桟３２の幅ａと奥行きｂの合計以上とされている。このため外廊下１４の開放性を高めることができる。これにより、縦桟３２及びカバー４４で縦長照明４２を目立たなくして建物１０の外観をシンプルにしつつ、外廊下１４へ自然採光を取り入れることができる。
【００３４】
また、第１実施形態の建物１０では、外廊下１４を照らすために手摺２０の支柱２２に照明器具４０を取付けている。このため外廊下１４には天井照明をつける必要がない。あるいは数を減らせる。これにより、建物１０の外観をシンプルにできる。
【００３５】
［第２実施形態］
第２実施形態に係る建物１１では、図６に示すように、照明器具６０におけるカバー６４の奥行き方向の長さｍが、第１実施形態のカバー４４の長さｌより短い（ｍ＜ｌ）。また、縦格子５０を構成する縦桟５２（５２ａ〜５２ｇ…）の奥行きｄは、第１実施形態の縦桟３２の奥行きｂより大きい（ｄ＞ｂ）。
【００３６】
縦桟５２（５２ａ〜５２ｇ…）の奥行きｄが大きいと、例えば縦桟５２ｄと縦桟５２ｅの間から外廊下１４の支柱２２側の部分を見通せる視野角θ２（θ２＝ｔａｎ−１（ｃ／ｄ））は、第１実施形態における縦桟３２ｄと縦桟３２ｅの間から外廊下１４の支柱２２側の部分を見通せる視野角θ１（θ１＝ｔａｎ−１（ｃ／ｂ）、図５参照）より狭い（θ２＜θ１）。したがって、第２実施形態においては、第１実施形態の建物１０と比較して、建物１１の外側から外廊下１４を見通しにくい。
【００３７】
さらに、照明器具６０におけるカバー６４の奥行き方向の長さｍが短いため、カバー６４は建物１１の外部から見えない。
【００３８】
具体的には、支柱２２に近い位置（縦桟５２ａと縦桟５２ａの間、縦桟５２ａと縦桟５２ｂの間、縦桟５２ｂと縦桟５２ｃの間）から照明器具６０を視認しようとした場合、視線Ｓ１、Ｓ２、Ｓ３は支柱２２によって遮られ、照明器具６０を視認できない。
【００３９】
視線Ｓ２、Ｓ３においては、それぞれ縦桟５２ａと縦桟５２ｂの間、縦桟５２ｂと縦桟５２ｃの間から、支柱２２の屋内側の角部（点Ｐ）が見える。しかし、カバー６４の屋内側への張出し幅（長さｍ）は、第１実施形態のカバー４４の長さｌより短いため、視線Ｓ２、Ｓ３を遮らない。
【００４０】
また、支柱２２から遠い位置（縦桟５２ｃと縦桟５２ｄの間、縦桟５２ｄと縦桟５２ｅの間、縦桟５２ｅと縦桟５２ｆの間、縦桟５２ｆと縦桟５２ｇの間）から照明器具６０を視認しようとした場合、視線Ｓ４、Ｓ５、Ｓ６、Ｓ７は縦桟５２ｃ、５２ｄ、５２ｅ、５２ｆによって遮られ、照明器具６０を視認できない。
なお、縦桟５２ｇよりさらに遠い位置にある縦桟５２（不図示）の間からも、同様に照明器具６０を視認できない。
【００４１】
このように、第２実施形態に係る建物１１では、建物１１の外部から、縦長照明４２だけでなく、カバー６４も見えない。すなわち、照明器具６０が見えない。これによりカバー６４の張出し幅を最小幅として日中の照明器具６０の存在感を消すことができる。
【００４２】
第２実施形態に係る建物１１のその他の構成については、第１実施形態に係る建物１０と同様であり説明は省略する。
【００４３】
なお、第１実施形態における縦格子３０は、上端部が振れ止め材２７で連結されて手摺２０を形成しているが、本発明の実施形態はこれに限らない。例えば図８に示すように、振れ止め材２７に代えて又は加えて笠木２８を設置してもよい。笠木２８を設置することで、手摺２０を掴みやすくできる。
【００４４】
また、笠木２８を設置せず、例えば縦格子３０は上下のスラブ間に亘って配置してもよい（所謂ルーバー）。このようにすれば、外廊下１４に対する建物１０の外部からの視線を遮りプライバシー性を高めつつ、採光を得ることができる。また、建物１０の外観の意匠性を向上できる。第２実施形態における縦格子５０についても同様である。
【００４５】
また、第１実施形態における手摺２０及び照明器具４０は、外廊下１４に設けられているが本発明の実施形態はこれに限らない。例えば建物１０のバルコニー（ルーフテラス等を含む）に設けてもよい。バルコニーに手摺２０及び照明器具４０を設けることで、バルコニーの床面のほか、掃き出し窓を通して室内を照らすこともできる。第２実施形態における手摺及び縦格子５０についても同様である。
【００４６】
また、第１実施形態における縦桟３２の奥行きｂは全て一定としたが、本発明の実施形態はこれに限らない。例えば図７に示す縦桟３４ａ、３４ｂのように、奥行きを変えることもできる。縦桟３４ａ、３４ｂのように奥行きを変えても、縦長照明４２は、建物１０の外部から見えない。このように縦桟の奥行きを変えることで、建物１０の外観に表情を与えることができる。第２実施形態における縦桟５２についても同様である。
【００４７】
また、第１実施形態における縦桟３２の幅ａと奥行きｂとの和が、互いに隣接する縦桟３２間の隙間の幅ｃ以下（ａ＋ｂ≦ｃ）とされているが、本発明の実施形態はこれに限らない。例えば外廊下１４の採光性よりプライバシーを重視する場合は、互いに隣接する縦桟３２間の隙間の幅ｃを小さくして（ａ＋ｂ＞ｃ）、建物１０の外部から外廊下１４を見通し難くしてもよい。
【００４８】
また、第１実施形態における手摺２０は、支柱２２より屋外側に縦格子３０が配置されているが、本発明の実施形態はこれに限らない。例えば支柱２２の両側に縦格子３０を配置してもよい。このように手摺２０を構成すれば、手摺２０全体をコンパクトに形成することができる。
【００４９】
また、第１実施形態における縦長照明４２は、点光源であるＬＥＤ素子４２Ｅを用いて線状に光らせるライン照明としているが、本発明の実施形態はこれに限らない。例えば線光源である蛍光灯を用いてもよいし、面光源である有機ＥＬを短冊状に成形して用いてもよい。
【符号の説明】
【００５０】
１０、１１  建物
１４        外廊下
２０        手摺
２２        支柱
３０、５０  縦格子（手摺子）
３２、５２  縦桟
４２        縦長照明
４４、６４  カバー
【図１】
2019009014.tif 000003
【図２】
2019009014.tif 000004
【図３】
2019009014.tif 000005
【図４】
2019009014.tif 000006
【図５】
2019009014.tif 000007
【図６】
2019009014.tif 000008
【図７】
2019009014.tif 000009
【図８】
2019009014.tif 000010